(57)【要約】【課題】カスタマイズの設定操作を容易に行う。【解決手段】システム制御部１２１により、パネル部１０５を介して設定されたプリンタードライバーに関する初期設定と、初期化タイミングの条件とをパネル操作制御部１１９を介して受け付け、ドライバー管理部１１８により、システム制御部１２１が受け付けたドライバーに関する初期設定の内容を示すプロファイル名と、初期設定の内容を示すプロファイルの格納パスとを含む設定ファイル２００を管理する。また、システム制御部１２１は、初期設定の受け付けと、初期化タイミングの条件の受け付けとを行う事前準備処理と、事前準備処理で受け付けたプロファイル及び設定ファイルを、それぞれに指定されているディレクトリーにコピーし、コピーしたプロファイルをロードする初期化処理とを実行する。【選択図】図１
2019188702.tif 000002
【特許請求の範囲】
【請求項１】
パネル部と、
前記パネル部を介して設定されたドライバーに関する初期設定と、初期化タイミングの条件とをパネル操作制御部を介して受け付けるシステム制御部と、
前記システム制御部が受け付けた前記ドライバーに関する初期設定の内容を示すプロファイル名と、前記初期設定の内容を示すプロファイルの格納パスとを含む設定ファイルを管理するドライバー管理部とを備え、
前記システム制御部は、
前記初期設定の受け付けと、前記初期化タイミングの条件の受け付けとを行う事前準備処理と、
前記事前準備処理で受け付けた前記プロファイル及び前記設定ファイルを、それぞれに指定されているディレクトリーにコピーし、コピーした前記プロファイルをロードする初期化処理とを実行する
ことを特徴とする画像形成装置。
【請求項２】
揮発性メモリーデバイスと、
前記プロファイル及び前記設定ファイルの格納パスが設定されている不揮発性メモリーデバイスとを備え、
前記システム制御部は、
前記事前準備処理において、
前記ドライバーの設定画面から初期値の設定を受け付け、初期化タイミングの設定が有る場合は、前記初期化タイミングの設定を受け付けた後、前記ドライバーの設定画面での設定内容を示すプロファイルと、前記設定ファイルとを前記揮発性メモリーデバイスに一旦記憶させ、
前記初期化処理において、
前記プロファイル及び前記設定ファイルのそれぞれに指定されている前記格納パスが示す前記不揮発性メモリーデバイスのディレクトリーへのコピーが完了した後、前記設定ファイルに前記プロファイルの格納パスが有る場合、前記格納パスが示す記憶領域から前記プロファイルをロードすることで、初期設定を実行する
ことを特徴とする請求項１に記載の画像形成装置。
【請求項３】
前記ドライバーは、プリンタードライバーであることを特徴とする請求項１又は２に記載の画像形成装置。
【発明の詳細な説明】
【技術分野】
【０００１】
本発明は、プリンタードライバー等のドライバーの設定に適した画像形成装置に関する。
【背景技術】
【０００２】
たとえば、ＭＦＰ(Multifunction Peripheral)等の画像形成装置にインストールされているプリンタードライバーにおいては、初期設定の内容がユーザー毎の使用形態に合うようにカスタマイズすることができる。
【０００３】
このようなプリンタードライバーのカスタマイズに関するものとして、特許文献１では、プリンタードライバーをインストールし、プリンタードライバーのカスタマイズ内容を示す情報を含む設定ファイルに基づき、プリンタードライバーの印刷設定の機能を定義する定義ファイルに記述された、プリンタードライバーの特定の機能の設定値を有効にし、プリンタードライバーの印刷設定画面が開かれた場合は、有効にされた保存領域の特定の機能の設定値と、定義ファイルに記述された他の機能の設定値に関する禁則とに従って処理を行うことにより、プリンタードライバーの機能をカスタマイズする情報処理装置を提案している。
【先行技術文献】
【特許文献】
【０００４】
【特許文献１】特開２０１６−１１０５１９号公報
【発明の概要】
【発明が解決しようとする課題】
【０００５】
上述した特許文献１の情報処理装置では、有効にされた保存領域の特定の機能の設定値と、定義ファイルに記述された他の機能の設定値に関する禁則とに従って処理を行うので、ドライバーセットを変更することが制限されている環境であっても、プリンタードライバーのカスタマイズを実現できる。
【０００６】
ところで、近年では、セキュリティー重視の観点からプリンタードライバーのインストールや初期設定を行う際、ユーティリティーのインストールやツールを使っての設定を行うことが困難なケースが多々見受けられる。具体的には、ユーザーがＥＸＥ等の実行ファイルを動作させないようにＯＳ（Operating System）のセキュリティを上げて対応している場合や、ポリシーで実行させないといった場合がある。また、インストール時点での初期設定に限らず、ＯＳの再起動時に設定内容を初期値に戻したいケースや、印刷処理後に設定内容を初期値に戻したいケース等のポリシーでの設定の要望も多くある。
【０００７】
これらの欠点を解消したり、要望を満たしたりする場合、特許文献１でのカスタマイズの手法を適用しようとすると、プリンタードライバーのカスタマイズの内容を示す情報を含む設定ファイルに基づき、プリンタードライバーの設定を行うことができるものの、設定の際にはインストーラーを使って設定項目の選択を行う必要がある。このため、カスタマイズの設定操作が煩わしいという問題がある。
【０００８】
本発明は、このような状況に鑑みてなされたものであり、上記問題点を解消することができる画像形成装置を提供することを目的とする。
【課題を解決するための手段】
【０００９】
本発明の画像形成装置は、パネル部と、前記パネル部を介して設定されたドライバーに関する初期設定と、初期化タイミングの条件とをパネル操作制御部を介して受け付けるシステム制御部と、前記システム制御部が受け付けた前記ドライバーに関する初期設定の内容を示すプロファイル名と、前記初期設定の内容を示すプロファイルの格納パスとを含む設定ファイルを管理するドライバー管理部とを備え、前記システム制御部は、前記初期設定の受け付けと、前記初期化タイミングの条件の受け付けとを行う事前準備処理と、前記事前準備処理で受け付けた前記プロファイル及び前記設定ファイルを、それぞれに指定されているディレクトリーにコピーし、コピーした前記プロファイルをロードする初期化処理とを実行することを特徴とする。
また、揮発性メモリーデバイスと、前記プロファイル及び前記設定ファイルの格納パスが設定されている不揮発性メモリーデバイスとを備え、前記システム制御部は、前記事前準備処理において、前記ドライバーの設定画面から初期値の設定を受け付け、初期化タイミングの設定が有る場合は、前記初期化タイミングの設定を受け付けた後、前記ドライバーの設定画面での設定内容を示すプロファイルと、前記設定ファイルとを前記揮発性メモリーデバイスに一旦記憶させ、前記初期化処理において、前記プロファイル及び前記設定ファイルのそれぞれに指定されている前記格納パスが示す前記不揮発性メモリーデバイスのディレクトリーへのコピーが完了した後、前記設定ファイルに前記プロファイルの格納パスが有る場合、前記格納パスが示す記憶領域から前記プロファイルをロードすることで、初期設定を実行することを特徴とする。
また、前記ドライバーは、プリンタードライバーであることを特徴とする。
本発明の画像形成装置では、システム制御部により、パネル部を介して設定されたドライバーに関する初期設定と、初期化タイミングの条件とをパネル操作制御部を介して受け付け、ドライバー管理部により、システム制御部が受け付けたドライバーに関する初期設定の内容を示すプロファイル名と、初期設定の内容を示すプロファイルの格納パスとを含む設定ファイルを管理する。また、システム制御部は、初期設定の受け付けと、初期化タイミングの条件の受け付けとを行う事前準備処理と、事前準備処理で受け付けたプロファイル及び設定ファイルを、それぞれに指定されているディレクトリーにコピーし、コピーしたプロファイルをロードする初期化処理とを実行する。
これにより、システム制御部は、従来のように、インストーラーを使っての設定項目の選択が行われなくても、プロファイル及び設定ファイルを、それぞれに指定されているディレクトリーにコピーする初期化処理を自動的に実行できる。
【発明の効果】
【００１０】
本発明の画像形成装置によれば、システム制御部が初期化処理を自動的に実行するので、カスタマイズの設定操作を容易に行うことができる。
【図面の簡単な説明】
【００１１】
【図１】本発明の画像形成装置をＭＦＰに適用した場合の一実施形態を説明するための図である。
【図２】図１のＭＦＰのシステム制御部が受け付けたプリンタードライバーの設定ファイルの一例を示す図である。
【図３】図１のＭＦＰでのプリンタードライバーのカスタマイズのための事前準備処理について説明するためのフローチャートである。
【図４】図１のＭＦＰでのプリンタードライバーのカスタマイズのための初期化処理について説明するためのフローチャートである。
【発明を実施するための形態】
【００１２】
以下、本発明の画像形成装置の一実施形態を、図１〜図４を参照しながら説明する。なお、以下に説明する画像形成装置は、たとえば印刷機能、コピー機能、ＦＡＸ(Facsimile)機能、ネットワーク経由でのデータ送受信機能等の標準搭載機能が組み込まれた複合的な周辺機器であるＭＦＰ(Multifunction Peripheral)であるものとする。
【００１３】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ(Hard Disk Drive)１０６の動作を制御する制御部１１０を備えている。
【００１４】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、図示しないネットワークを介し、他のＭＦＰ１００やユーザー端末等に接続されている。なお、Ｉ／Ｆ１０４は、図示しないコンテンツサーバーやウェブサーバー等との通信を受け持ってもよい。パネル部１０５は、ＭＦＰ１００の印刷機能、コピー機能、ＦＡＸ機能、ネットワーク経由でのデータ送受信機能や、各種設定のための表示を行うタッチパネル等のデバイスである。ＨＤＤ１０６は、ＭＦＰ１００の種々の機能を提供するためのアプリケーションプログラム等を記憶している不揮発性メモリーデバイスである。また、ＨＤＤ１０６は、たとえばユーザー端末側から登録された印刷ジョブ及びページ記述言語による印刷対応データ等の画像データを記憶するユーザーボックスを有している。また、ＨＤＤ１０６は、ユーザーによって設定された設定値データ、各ユーザーのユーザー登録データ等も記憶している。
【００１６】
制御部１１０は、認証プログラム等のアプリケーションプログラム、画像形成プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、ＥＥＰＲＯＭ（Electrically Erasable Programmable Read-Only Memory)１１６、画像処理部１１７、ドライバー管理部１１８、パネル操作制御部１１９、ＨＤＤ制御部１２０、システム制御部１２１を備えている。また、これらは、データバス１２２に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータ等の送受信の制御を行う。
【００１８】
揮発性メモリーデバイスであるＲＡＭ１１５は、プログラムを実行するためのワークメモリーである。また、ＲＡＭ１１５は、画像処理部１１７によって画像処理された印刷データを記憶する。ＥＥＰＲＯＭ１１６には、各部の動作チェック等を行う制御プログラムが記憶されている。また、ＥＥＰＲＯＭ１１６には、スキャナー部１０１、プリンター部１０２、ＦＡＸ部１０３、Ｉ／Ｆ（インターフェース）１０４、パネル部１０５及びＨＤＤ１０６等を動作させるためのバージョンデータを含むファームウェアが記憶されている。
【００１９】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。なお、システム制御部１２１は、画像処理部１１７が画像処理した印刷データを、一旦、ＲＡＭ１１５に記憶させる。ドライバー管理部１１８は、システム制御部１２１がパネル部１０５等を介して受け付けたプロファイルや、後述の図２に示す設定ファイル２００を管理する。
【００２０】
パネル操作制御部１１９は、パネル部１０５の表示動作を制御する。また、パネル操作制御部１１９は、システム制御部１２１の指示に従い、パネル部１０５を介して設定されたプロファイルや、後述の図２に示す設定ファイル２００を受け付ける。なお。プロファイルには、設定値(DEVMODE、レジストリ)が含まれる。また、パネル操作制御部１１９は、パネル部１０５を介しての、印刷、コピー、ＦＡＸ、ネットワーク経由でのデータ送受信等の開始等を受け付ける。
【００２１】
システム制御部１２１は、各部の連携動作等を制御する。また、システム制御部１２１は、パネル部１０５を介してコピーや印刷等が選択されると、スキャナー制御部１１１やプリンター制御部１１２を介し、スキャナー部１０１による原稿の読み取りやプリンター部１０２による用紙への印刷を制御する。また、システム制御部１２１は、パネル部１０５を介してプロファイルや、後述の図２に示す設定ファイル２００の設定の要求が有ると、パネル操作制御部１１９を介してプロファイルや、後述の図２に示す設定ファイル２００の設定を受け付ける。また、システム制御部１２１は、詳細については後述するが、設定を受け付けたプロファイルや、後述の図２に示す設定ファイル２００を、格納パスが示すＨＤＤ１０６の領域（たとえばシステム領域等）に記憶させる。なお、システム制御部１２１は、設定を受け付けたプロファイルや、後述の図２に示す設定ファイル２００を、ＥＥＰＲＯＭ１１６に記憶させてもよい。
【００２２】
次に、図２を参照し、システム制御部１２１が受け付ける設定ファイル２００の一例について説明する。なお、図２の設定ファイル２００は、詳細については後述するが、システム制御部１２１がプリンタードライバーの設定画面での初期設定の受け付けに続き、受け付けるものである。
【００２３】
すなわち、たとえばKXDefaltSettings.iniとした設定ファイル２００には、たとえばプロファイル名である[Profile_Name]が示すDefaltSetting.kxpと、たとえば格納パスである[Profile_Path]が示すC:￥profilesとが含まれる。
【００２４】
システム制御部１２１は、パネル部１０５等を介してプロファイル名とプロファイルの格納パスとを含む設定ファイル２００を受け付けると、プロファイルの格納パスが示すたとえばＨＤＤ１０６の領域（たとえばシステム領域等）に記憶させる。なお、設定ファイル２００は、ＥＥＰＲＯＭ１１６に記憶させてもよい。
【００２５】
次に、図３を参照し、ＭＦＰ１００でのプリンタードライバーのカスタマイズのための事前準備処理について説明する。なお、以下では、ユーザーがパネル部１０５を介してインストール済みのプリンタードライバーの設定画面の表示を要求した時点からの処理について説明する。
【００２６】
（ステップＳ１０１）
システム制御部１２１は、インストール済みのプリンタードライバーの設定画面の表示を受け付ける。
この場合、システム制御部１２１は、パネル操作制御部１１９、及びパネル部１０５を介し、図示しないインストール済みのプリンタードライバーの設定画面を表示の要求が有ると、インストール済みのプリンタードライバーの設定画面の表示を受け付ける。
また、システム制御部１２１は、プリンタードライバーの設定画面の表示を受け付けると、パネル部１０５にプリンタードライバーの設定画面を表示させる。
【００２７】
（ステップＳ１０２）
システム制御部１２１は、プリンタードライバーの設定画面での初期値の設定を受け付ける。
この場合、システム制御部１２１は、プリンタードライバーの設定画面において、たとえば両面印刷、白黒印刷、集約等の初期値の設定を受け付ける。
【００２８】
（ステップＳ１０３）
システム制御部１２１は、プリンタードライバーの設定画面での初期化タイミングの設定が有るかどうかを判断する。
この場合、システム制御部１２１は、パネル操作制御部１１９、及びパネル部１０５を介してプリンタードライバーの設定画面での初期化タイミングの設定があることを確認すると、初期化タイミングの設定が有ると判断し（ステップＳ１０３：Ｙｅｓ）、ステップＳ１０４に移行する。
これに対し、システム制御部１２１は、パネル操作制御部１１９、及びパネル部１０５を介してプリンタードライバーの設定画面での初期化タイミングの設定があることを確認できないとき、初期化タイミングの設定が無いと判断し（ステップＳ１０３：Ｎｏ）、ステップＳ１０５に移行する。
なお、ここでの初期化タイミングとは、たとえばプリンタードライバーの設定画面での設定を受け付けた場合、ＯＳの再起動時に設定内容を初期値に戻したい場合、印刷処理後に設定内容を初期値に戻したい場合等が含まれる。
【００２９】
（ステップＳ１０４）
システム制御部１２１は、初期化タイミングの設定を受け付ける。
この場合、システム制御部１２１は、パネル操作制御部１１９、及びパネル部１０５を介しプリンタードライバーの設定画面での初期化タイミングの設定があることを確認すると、初期化タイミングの設定を受け付ける。
【００３０】
（ステップＳ１０５）
システム制御部１２１は、プロファイルを保持する。
この場合、システム制御部１２１は、プリンタードライバーの設定画面での設定内容等を示すプロファイルを、一旦ＲＡＭ１１５に記憶させる。
ここで、ステップＳ１０３でシステム制御部１２１が初期化タイミングの設定があることを確認した場合、プロファイルには初期化タイミングが含まれている。
これに対し、ステップＳ１０３でシステム制御部１２１が初期化タイミングの設定があることを確認できなかった場合、プロファイルには初期化タイミングが含まれないことになる。
【００３１】
（ステップＳ１０６）
システム制御部１２１は、設定ファイル２００を受け付ける。
この場合、システム制御部１２１は、パネル操作制御部１１９、及びパネル部１０５を介して設定ファイル２００の作成を受け付けてもよいし、予め作成されている設定ファイル２００を図示しないＵＳＢメモリー等から読み込んでもよい。
【００３２】
（ステップＳ１０７）
システム制御部１２１は、設定ファイル２００を保持する。
この場合、システム制御部１２１は、設定ファイル２００を、一旦ＲＡＭ１１５に記憶させるとともに、ドライバー管理部１１８に管理させる。これにより、システム制御部１２１は、次の処理に移行できる。
【００３３】
次に、図４を参照し、ＭＦＰ１００でのプリンタードライバーのカスタマイズのための初期化処理について説明する。
【００３４】
（ステップＳ２０１）
システム制御部１２１は、プリンタードライバーのインストールを実行する。
ここでのプリンタードライバーのインストールとは、システム制御部１２１が、ドライバー管理部１１８によって管理されているプロファイル及び設定ファイル２００を、それぞれのディレクトリーにコピーすることである。
この場合、システム制御部１２１は、図２の設定ファイル２００が示すたとえば
C:￥profiles
としたプロファイルの格納パスに基づき、ＨＤＤ１０６のディレクトリーにコピーする。
また、システム制御部１２１は、設定ファイル２００について、格納パスがたとえばC:\Windows\System32\spool\drivers\x64\3
として設定されているとき、その設定ファイル２００の格納パスに基づき、ＨＤＤ１０６のディレクトリーにコピーする。なお、ここでの設定ファイル２００の格納パスについては、あくまでも一例であり、任意に設定できる。
【００３５】
（ステップＳ２０２）
システム制御部１２１は、インストールが正常に完了したかどうかを判断する。
この場合、システム制御部１２１は、プロファイル及び設定ファイル２００のそれぞれのディレクトリーへのコピーが正常に完了したことを確認できると、インストールが正常に完了したと判断し（ステップＳ２０２：Ｙｅｓ）、ステップＳ２０４に移行する。
これに対し、システム制御部１２１は、プロファイル及び設定ファイル２００のそれぞれのディレクトリーへのコピーが正常に完了したことを確認できなければ、インストールが正常に完了しないと判断し（ステップＳ２０２：Ｎｏ）、ステップＳ２０３に移行する。
【００３６】
（ステップＳ２０３）
システム制御部１２１は、インストールに失敗したことを表示させる。
この場合、システム制御部１２１は。パネル操作制御部１１９を介し、パネル部１０５にインストールに失敗したことを表示させ、処理を終了する。
【００３７】
（ステップＳ２０４）
システム制御部１２１は、プリンタードライバーの初期設定のロードを実行する。
この場合、システム制御部１２１は、ステップＳ２０１でそれぞれのディレクトリーにコピーしたプロファイル及び設定ファイル２００をロードし、初期設定を行う。
【００３８】
（ステップＳ２０５）
システム制御部１２１は、設定ファイル２００にディレクトリーが有るかどうかを判断する。
この場合、システム制御部１２１は、図２の設定ファイル２００を確認し、たとえばC:￥profilesとしたプロファイルの格納パスが確認できなければ、設定ファイル２００にディレクトリーが無いと判断し（ステップＳ２０５：Ｎｏ）、ステップＳ２０６に移行する。
これに対し、システム制御部１２１は、図２の設定ファイル２００を確認し、たとえばC:￥profilesとしたプロファイルの格納パスが確認できれば、設定ファイル２００にディレクトリーが有ると判断し（ステップＳ２０５：Ｙｅｓ）、ステップＳ２０７に移行する。
【００３９】
（ステップＳ２０６）
システム制御部１２１は、インストールが完了したことを表示させる。
この場合、システム制御部１２１は。パネル操作制御部１１９を介し、パネル部１０５にインストールが完了したことを表示させ、処理を終了する。
【００４０】
（ステップＳ２０７）
システム制御部１２１は、設定ファイル２００にプロファイルの格納パスが有るかどうかを判断する。
この場合、システム制御部１２１は、設定ファイル２００にプロファイルの格納パスが有ることを確認できなければ、設定ファイル２００にプロファイルの格納パスが無いと判断し（ステップＳ２０７：Ｎｏ）、ステップＳ２０８に移行する。
これに対し、システム制御部１２１は、設定ファイル２００にプロファイルの格納パスが有ることを確認できれば、設定ファイル２００にプロファイルの格納パスが有ると判断し（ステップＳ２０７：Ｙｅｓ）、ステップＳ２０９に移行する。
【００４１】
（ステップＳ２０８）
システム制御部１２１は、インストールが完了したことを表示させる。
この場合、システム制御部１２１は。パネル操作制御部１１９を介し、パネル部１０５にインストールが完了したことを表示させ、処理を終了する。
【００４２】
（ステップＳ２０９）
システム制御部１２１は、プロファイルをロードする。
この場合、システム制御部１２１は、図２の設定ファイル２００を確認し、たとえばC:￥profilesとしたプロファイルの格納パスが示すディレクトリーからプロファイルをロードし、初期設定を終了する。
【００４３】
このように、本実施形態では、システム制御部１２１により、パネル部１０５を介して設定されたプリンタードライバー（ドライバー）に関する初期設定と、初期化タイミングの条件とをパネル操作制御部１１９を介して受け付け、ドライバー管理部１１８により、システム制御部１２１が受け付けたドライバーに関する初期設定の内容を示すプロファイル名と、初期設定の内容を示すプロファイルの格納パスとを含む設定ファイル２００を管理する。また、システム制御部１２１は、初期設定の受け付けと、初期化タイミングの条件の受け付けとを行う事前準備処理と、事前準備処理で受け付けたプロファイル及び設定ファイル２００を、それぞれに指定されているディレクトリーにコピーし、コピーしたプロファイルをロードする初期化処理とを実行する。
【００４４】
これにより、システム制御部１２１は、従来のように、インストーラーを使っての設定項目の選択が行われなくても、プロファイル及び設定ファイル２００を、それぞれに指定されているディレクトリーにコピーする初期化処理を自動的に実行できるので、カスタマイズの設定操作を容易に行うことができる。
【００４５】
なお、本実施形態では、ドライバーを、プリンタードライバーとして説明したが、この例に限らず、スキャナードライバーや、ＦＡＸドライバー、Ｉ／Ｆドライバー等の他のドライバーにも適用可能である。
【符号の説明】
【００４６】
１００  ＭＦＰ
１０１  スキャナー部
１０２  プリンター部
１０３  ＦＡＸ部
１０４  Ｉ／Ｆ
１０５  パネル部
１０６  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  ドライバー管理部
１１９  パネル操作制御部
１２０  ＨＤＤ制御部
１２１  システム制御部
１２２  データバス
２００  設定ファイル
【図１】
2019188702.tif 000003
【図２】
2019188702.tif 000004
【図３】
2019188702.tif 000005
【図４】
2019188702.tif 000006